(57)【要約】【課題】  魚のアタリが弱く小さな分り難い場合でも、敏感にウキ等に反応し，且つ掛かりやすく、掛かった魚が確実に引っ掛けて釣果を上げる事の出来る釣りサオ仕掛けのハリス糸にすること。【解決の手段】  釣り針１に弾性体チュウブ状体２で伸縮自在のポリウレタンエラストマ−材等のクッションゴム３を直結し、クロロカ−ボン樹脂系等のハリス糸Ａを除外しクッションハリス付釣り針構成とする．また前記する弾性体チュウブ状体２でなるクッションゴム３を伸縮自在のポリウレタンエラストマ−材等の弾性線状体でのクッションゴム３０にしたクッションハリス付き釣り針の構成とする。更に前記する釣り針１を合成樹脂製の係止具４インサ−ト等で直結し，これらの係止具４にクッションゴム３、３０を接合固着することで、双方を一体化したクッションハリス付き釣り針の構成とする。【選択図】図１
0003126364.tif 000002
【実用新案登録請求の範囲】
【請求項１】
釣り針（１）に弾性体チュウブ状体（２）で伸縮自在のポリウレタンエラストマ−材等のクッションゴム（３）を直結し、クロロカ−ボン樹脂系等でなるハリス糸（Ａ）を除外したことを特徴とするクッションハリス付釣り針。
【請求項２】
前記する弾性体チュウブ状体（２）でなるクッションゴム（３）を伸縮自在のポリウレタンエラストマ−材等の弾性線状体でのクッションゴム（３０）にしたことを特徴とする請求請項１記載のクッションハリス付き釣り針。
【請求項３】
前記する釣り針（１）を合成樹脂製の係止具（４）にインサ−ト等で直結し，これらの係止具（４）にクッションゴム（３）、（３０）を接合固着することで、双方を一体化したことを特徴とする請求項１及び２項記載のクッションハリス付き釣り針。
【考案の詳細な説明】
【技術分野】
【０００１】  この考案は釣り竿Ｄの仕掛けに使う釣り針１をつるしているハリス糸Ａに関する。
【背景技術】
【０００２】  この種の従来の技術として、図５はウキ釣りで磯や防波堤近くを回遊するメジナ、クロ鯛、ウミタナゴ、等を釣るのに使う仕掛けで、この仕掛けはあくまでウキＥの動きを見てアタリを取るが、これらのウキＥは釣り竿Ｄに設けたリルのスプ−ルに巻かれて収納出し入れする道糸Ｂに固定され、更にこれらの道糸Ｂはガン玉重りＣが固定されてサルカン（撚り戻し具）５の端子に結ばれ、これらのサルカン５の他の端子には釣り針１を吊るしたハリス糸Ａが結ばれた仕掛けである。【０００３】  そして又図６で示す仕掛けは、深海に生息するアコウ鯛釣りの仕掛を示すが、これらは複数の釣り針１（枝バリ）でタナをそつなく攻める胴づき釣りの引例で、釣り針１の間隔や使うのが一般で、電動リルのスプ−ルに巻かれ収納出し入れする道糸Ｂには、サルカン５付き釣り針１の数は魚によって異なるが、タナの広い深さに及んで魚を攻める釣りの仕掛にでのクッションゴム３０を介在して、サルカン５０（ミツマタ撚り戻し具）付きでのハリス糸Ａ（枝ハリス）に．つながり最後に重りＦが結ばれる。【０００４】  これらの仕掛けの他に、魚の種類によって，それぞれ無数の仕掛けが選択されるが，何れの仕掛けも、釣り針１がハリス糸Ａに吊るされ、それらの釣り針１に取りつけられた餌に魚が食いつきのみ込む事で魚が釣り針１に引っ掛けられて釣り上げられる。【０００５】  このように何れの仕掛けも魚を脅かさない且つ目立たない細い強じんなハリスＡが所定の太さと所定の長さで釣り針り１の平ったくつぶれたチモト１ａ部分に固く結びつけられるが、これらのハリスＡは最も広く使われる糸の材質はフロロカ−ボン系で、道糸Ｂに最も広く使われるナイロン糸より若干強度が落ちるが、比重が大きいため沈みやすい等の特長があるのでハリスＡとして使われている。
【考案の開示】
【考案が解決しようとする課題】
【０００６】  しかしながら上記すフロロカ−ボン系のハリス糸では口の弱いシマアジのような魚は、アタリでの針合わせで，針がかりをしても引き上げ時に口切れで針が外れてしまい魚を逃がす等の課題がある。【０００７】  また魚の急激な餌の呑み込み引っ張りが、ハリス糸でのショック吸収がない為ハリス切れを起して魚を逃がしてしまったり，魚の急激な引っ張りで海中に釣りサオを引き込まれる等の課題がある。【０００８】  またアタリの弱い魚では誘いをかけ釣りサオをリズミカルに高度なシャクリで針合わせを要求される等の課題がある。【０００９】  更にまたハリス糸はクッション性がない糸の為巻きクセが取れないまま海中に沈められる事で、釣り餌の動きが自然でなく魚に警戒心を与えてしまう等の課題が残る。
【課題を解決するための手段】
【００１０】  この考案は，かかる課題を解決する為に，請求項１での考案は，図１で述べるように釣り針１に弾性体チュウブ状体２で伸縮自在のポリウレタンエラストマ−材等のクッションゴム３を直結し，フロロカ−ボン系などでのハリス糸Ａを除外した構成にする。【００１１】  次に請求項２での考案は、図２で述べるように前記する弾性体チュ−ブ状体２でなるクッション３は弾性線状体でのクッションゴム３０にした構成にする。【００１２】  次に請求項３での考案は図４で述べるように前記する釣り針１とクッションゴム３，３０との間に係止具４を介在して双方を一体化結合した構成にする。
【考案の効果】
【００１３】  本考案は、上述の通り構成作用するので、次の優れた効果を奏する．即ち釣り針をじかに伸縮するクッションゴムで吊るす事で，釣りサオのシャクリ針合わせが釣り針の餌の上下するジャンピングがクッションの弾発力にてリズムカルに生き物の様な餌の動きが、魚に警戒心をそそることなく食いつく、針掛かりの優れたクッションハリス付き釣り針を提供出来る。【００１４】  また餌の吸い込み食いつきは、クッションゴムの引っ張り逆戻りする力の動きを受け釣り針が口元を強く引っ掛け、魚を釣り逃がす事のないクッションハリス付き釣り針を提供できる。【００１５】  また口元の弱い魚も釣り針の動きが伸縮するので、口元に引っかかった釣り針を急激に引き上げても，口切れがなく、釣り逃がすことのないクッション付き釣り針を提供できる。【００１６】  またビシ釣りでの大物狙いには仕掛けにクッションゴムを具備するが、これらの他に伸縮性のハリスのクッションが２重となって作用し、シャクリでの誘き寄せやアタリでの針合わせ等が効果的に働き、釣りの成果をあげる事のできるクッション付き釣り針を提供出来る。【００１７】  またハリス糸が伸縮性のポリウレタンエラストマ−材質の為、リ−ル収納時の巻きクセが残らず自然体で海中に放置されるので、海中での魚の小さなアタリや分かり難いアタリも敏感にウキにダイレクトに伝達するクッション付き釣り針を提供できる。
【考案を実施するための最良な形態】
【００１８】  以下に図示の実施例に基づいて本考案を更に詳細に説明する。即ち図１は本考案での第１実施例に基づく要部一部断面での斜視図で、釣り針１の軸の先端チモト部１ａに弾性体チュウブ状体２でなるクッションゴム３の中空部先端が差し込まれ，これらが根巻き糸ａを釣り針１の曲がり部１ｃの方からていねいに巻きつけ固定し，根巻き糸ａは瞬間接着剤で固定するが，クッションゴム３の釣り針１との根つけ方法は特定するものでなく，チモト部１ａをひらったくつぶしコブシ状にし，クッションゴム３の中空部に無理ばめでの実施例を示すが、クッションゴム３の太さや長さや弾性係数等の諸数値は，釣り針１の種類やサイズに合わせて選択されて，仕掛けを作ることになる。
【００１９】  次に本考案での第２実施例を図１，２での全体斜視図で，釣り針１の軸の先端チモト部１ａに弾性線状体でなる伸縮自在のクッションゴム３０の先端を固く結び付けるが，一般的な針結びの基本である外掛け結び３０ｂでの実施例を示すが、これらの結びは特定するものでなく要するに，伸縮自在のクッションゴム３０が釣り針１に直接的に固定されることである。更にこれらの所定の太さと、所定の長さでのクッションゴム３０の片方の端は，サルカン５と接続するが，極一般的な簡単なクリンチノット結びでの実施例で、これらのサルカン５の他の端は通常の仕掛けが適用される。
【００２０】  次に図４は本考案での第３実施例での要部斜視図で、釣り針１の軸の先端チモト部１ａは合成品樹脂成形品で成る係止具４にインサ−トで一体化され、これらにクッションゴム３、３０が絡まれて固く結合されることで，釣り針１とクッションゴム３，３０、とが針結びのない結合を構成し，前記する釣り針１とクッションゴム３，３０とが直結する構成での針結びと異にするが，本第３実施例では、細長い棒状での係止具４は釣り針１のインサ−トでの端はカギ形状孔４ａが開口し、他方の端にはＬ字形状孔４ｂが開口し，双方の孔は係止具４の外周に螺旋溝４ｃで接続された構成での一実施例を示している。
【００２１】  これらの，係止具４付きでの釣り針１はクッションゴム３，３０の端子をＬ字形状孔４ｂの側面の開口孔に差し込み引き出し、その孔に連なる螺旋溝４ｃに沿うって巻き込み挟み、カギ形状孔４ａに貫通した端子をそのカギ形状孔４ａの溝部４ｄに引っ張り無理嵌めし、クッションゴム３，３０と釣り針１との双方は係止具４を介して結合する最適な構成とするが，この限りでなく他の構成での係止具４でもかまわないのは当然である。
【図面の簡単な説明】
【００２２】
【図１】    本考案に係わる第一実施例での一部断面での要部斜視図である
【図２】    本考案に係わる第二実施例での全体斜視図である
【図３】    第二実施例での他の釣り針を使っての全体斜視図である
【図４】    本考案に係わる第三実施例での要部斜視図である
【図５】    従来技術でのウキ釣り仕掛けの一例示す全体斜視図である
【図６】    従来技術での胴づき釣り仕掛けでの一例を示す全体斜視図である
【符号の説明】
【００２３】    Ａ            ハリス糸
Ｂ            道糸
Ｃ            ガン玉重り
Ｄ            釣りサオ
Ｅ            ウキ
Ｆ            重り
１            釣り針
１ａ          チモト部
１ｂ          曲がり部
２            弾性体チュウブ状体
３、３０      クッションゴム
４            係止部
４ａ          カギ形状孔
４ｂ          Ｌ字形状孔
４ｃ          螺旋溝
４ｄ          溝部
５            サルカン
【図１】
0003126364.tif 000003
【図２】
0003126364.tif 000004
【図３】
0003126364.tif 000005
【図４】
0003126364.tif 000006
【図５】
0003126364.tif 000007
【図６】
0003126364.tif 000008
【手続補正書】
【提出日】平成18年6月30日(2006.6.30)
【手続補正１】
【補正対象書類名】実用新案登録請求の範囲
【補正対象項目名】請求項２
【補正方法】変更
【補正の内容】
【請求項２】
前記する弾性体チュウブ状体（２）でなるクッションゴム（３）を伸縮自在のポリウレタンエラストマー材等の弾性線状体でのクッションゴム（３０）にしたことを特徴とする請求項１記載のクッションハリス付き釣り針。
【手続補正２】
【補正対象書類名】実用新案登録請求の範囲
【補正対象項目名】請求項３
【補正方法】変更
【補正の内容】
【請求項３】
前記する釣り針（１）を合成樹脂製の係止具（４）にインサート等で直結し、これらの係止具（４）にクッションゴム（３）、（３０）を接合固着することで、双方を一体化したことを特徴とする請求項１または２項記載のクッションハリス付き釣り針。